(57)【要約】ハンドオーバー動作時、許容されたサービスフローのためのＱｏＳ情報をターゲット基地局に伝送する。無線通信システムでハンドオーバー動作と関連した移動端末のＱｏＳ情報を受信する方法において、サービング基地局から少なくとも一つのサービスを受信する段階と、前記ハンドオーバー動作を行うために少なくとも一つのターゲット基地局をスキャニングする段階と、前記サービング基地局にハンドオーバーを要請する段階と、前記サービング基地局からサービスレベル予測情報を含むハンドオーバー応答を受信する段階と、を含んでおり、前記サービスレベル予測情報は、前記サービング基地局から受信した少なくとも一つのサービスと関連したＱｏＳパラメータの応答として、前記少なくとも一つのターゲット基地局によって決定されることを特徴とするＱｏＳ情報受信方法を構成する。
2007527177.tif 000002
【特許請求の範囲】
【請求項１】
無線通信システムでハンドオーバー動作と関連した移動端末のサービス品質（Ｑｕａｌｉｔｙ  ｏｆ  Ｓｅｒｖｉｃｅ：以下、ＱｏＳという）情報を受信する方法において、
サービング基地局から少なくとも一つのサービスを受信する段階と、
前記ハンドオーバー動作を行うために少なくとも一つのターゲット基地局をスキャニングする段階と、
前記サービング基地局にハンドオーバーを要請する段階と、
前記サービング基地局からサービスレベル予測情報を含むハンドオーバー応答を受信する段階と、を含んでおり、
前記サービスレベル予測情報は、前記サービング基地局から受信した少なくとも一つのサービスと関連したＱｏＳパラメータの応答として、前記少なくとも一つのターゲット基地局によって決定されることを特徴とするＱｏＳ情報受信方法。
【請求項２】
前記ＱｏＳパラメータは、遅延情報、保障トラフィックレート、必要なトラフィックレート及び維持可能なトラフィックレートのうち少なくとも一つを含むことを特徴とする請求項１に記載のＱｏＳ情報受信方法。
【請求項３】
前記サービスレベル予測情報は、前記移動端末に（１）サービスフロー提供不可、（２）全てのサービスフロー提供可能、（３）一部のサービスフロー提供可能及び（４）サービスレベル予測提供不可のうち少なくとも一つを含むことを特徴とする請求項１に記載のＱｏＳ情報受信方法。
【請求項４】
前記ハンドオーバー応答は、前記移動端末がハンドオーバーを行う推薦ターゲット基地局をさらに含むことを特徴とする請求項１に記載のＱｏＳ情報受信方法。
【請求項５】
前記移動端末は、ハンドオーバーを行う少なくとも一つのターゲット基地局を決定することを特徴とする請求項１に記載のＱｏＳ情報受信方法。
【請求項６】
前記サービング基地局から少なくとも一つのサービスを要請する段階をさらに含むことを特徴とする請求項１に記載のＱｏＳ情報受信方法。
【請求項７】
前記サービング基地局からサービス承認メッセージを受信する段階をさらに含むことを特徴とする請求項６に記載のＱｏＳ情報受信方法。
【請求項８】
前記サービス承認メッセージは、少なくとも一つの要請されたサービスのためのＱｏＳパラメータ値、及び少なくとも一つの要請されたサービスを活性化させる可能性に対する指示のうち少なくとも一つを含むことを特徴とする請求項７に記載のＱｏＳ情報受信方法。
【請求項９】
無線通信システムでハンドオーバー動作と関連したＱｏＳ情報を提供する方法において、
サービング基地局から移動端末に少なくとも一つのサービスを提供する段階と、
前記サービング基地局で前記移動端末からのハンドオーバー要請を受信する段階と、
少なくとも一つのターゲット基地局に、少なくとも一つのサービスと関連したＱｏＳパラメータを含むハンドオーバー通知を提供する段階と、
前記少なくとも一つのターゲット基地局から、少なくとも一つのサービスと関連したＱｏＳパラメータに対する応答で決定されたサービスレベル予測情報を含むハンドオーバー通知応答を受信する段階と、
前記サービスレベル予測情報を含むハンドオーバー応答を前記移動端末に提供する段階と、を含むことを特徴とするＱｏＳ情報提供方法。
【請求項１０】
前記ＱｏＳパラメータは、待機情報、保障トラフィックレート、必要なトラフィックレート及び維持可能トラフィックレートのうち少なくとも一つを含むことを特徴とする請求項９に記載のＱｏＳ情報提供方法。
【請求項１１】
前記サービスレベル予測情報は、前記移動端末に（１）サービスフロー提供不可、（２）全てのサービスフロー提供可能、（３）一部のサービスフロー提供可能及び（４）サービスレベル予測提供不可のうち少なくとも一つを含むことを特徴とする請求項９に記載のＱｏＳ情報提供方法。
【請求項１２】
前記ハンドオーバー応答は、前記移動端末がハンドオーバーを行う推薦ターゲット基地局をさらに含むことを特徴とする請求項９に記載のＱｏＳ情報提供方法。
【請求項１３】
前記移動端末は、少なくとも一つのハンドオーバーを行うターゲット基地局を決定することを特徴とする請求項９に記載のＱｏＳ情報提供方法。
【請求項１４】
前記移動端末から少なくとも一つのサービスのためのサービス要請を受信する段階と、
前記要請された少なくとも一つのサービスのために使用可能な無線資源の存在を確認する段階と、
前記無線資源が利用可能である場合、前記少なくとも一つの要請されたサービスを有する移動端末に無線資源を割り当てる段階と、
前記移動端末にサービス承認メッセージを伝送する段階と、をさらに含むことを特徴とする請求項９に記載のＱｏＳ情報提供方法。
【請求項１５】
前記サービス承認メッセージは、少なくとも一つの要請されたサービスのためのＱｏＳパラメータ値、及び少なくとも一つの要請されたサービスを活性化させる可能性に対する指示のうち少なくとも一つを含むことを特徴とする請求項１３に記載のＱｏＳ情報提供方法。
【請求項１６】
前記サービング基地局は、少なくとも一つの許容されたサービスフローのためのＱｏＳパラメータ値が周期的に提供される前記少なくとも一つのターゲット基地局に、少なくとも一つの許容されたサービスフローに関する情報を伝送することを特徴とする請求項９に記載のＱｏＳ情報提供方法。
【請求項１７】
少なくとも一つのターゲット基地局にハンドオーバー承認を提供する段階と、
前記移動端末からのハンドオーバー指示を前記サービング基地局で受信する段階と、
前記サービング基地局と前記移動端末との間の通信を中断する段階と、をさらに含むことを特徴とする請求項９に記載のＱｏＳ情報提供方法。
【請求項１８】
無線通信システムでハンドオーバー動作と関連したＱｏＳ情報を受信する移動端末において、
サービング基地局から少なくとも一つのサービスを受信する手段と、
前記ハンドオーバー動作を行うための少なくとも一つのターゲット基地局をスキャニングする手段と、
前記サービング基地局にハンドオーバーを要請する手段と、を含んでおり、
前記少なくとも一つのサービスを受信する手段は、サービング基地局からサービスレベル予測情報を含むハンドオーバー応答を受信し、前記サービスレベル予測情報は、前記サービング基地局から受信した少なくとも一つのサービスと関連したＱｏＳパラメータの応答として、少なくとも一つのターゲット基地局によって決定されることを特徴とするＱｏＳ情報を受信する移動端末。
【請求項１９】
前記ＱｏＳパラメータは、遅延情報、保障トラフィックレート、必要なトラフィックレート及び維持可能なトラフィックレートのうち少なくとも一つを含むことを特徴とする請求項１８に記載のＱｏＳ情報を受信する移動端末。
【請求項２０】
前記サービスレベル予測情報は、前記移動端末に（１）サービスフロー提供不可、（２）全てのサービスフロー提供可能、（３）一部のサービスフロー提供可能及び（４）サービスレベル予測提供不可のうち少なくとも一つを含むことを特徴とする請求項１８に記載のＱｏＳ情報を受信する移動端末。
【請求項２１】
前記ハンドオーバー応答は、前記移動端末がハンドオーバーを行う推薦ターゲット基地局をさらに含むことを特徴とする請求項１８に記載のＱｏＳ情報を受信する移動端末。
【請求項２２】
前記移動端末は、少なくとも一つのハンドオーバーを行うターゲット基地局を決定することを特徴とする請求項１８に記載のＱｏＳ情報を受信する移動端末。
【請求項２３】
前記ハンドオーバーを要請する手段は、前記サービング基地局から少なくとも一つのサービスを要請することを特徴とする請求項１８に記載のＱｏＳ情報を受信する移動端末。
【請求項２４】
前記少なくとも一つのサービスを受信する手段は、前記サービング基地局からサービス承認メッセージを受信することを特徴とする請求項２３に記載のＱｏＳ情報を受信する移動端末。
【請求項２５】
前記サービス承認メッセージは、少なくとも一つの要請されたサービスのためのＱｏＳパラメータ値、及び少なくとも一つの要請されたサービスを活性化させる可能性に対する指示のうち少なくとも一つを含むことを特徴とする請求項２４に記載のＱｏＳ情報を受信する移動端末。
【請求項２６】
無線通信システムでハンドオーバー動作と関連したＱｏＳ情報を提供するネットワークにおいて、
サービング基地局から移動端末に少なくとも一つのサービスを提供する手段と、
前記サービング基地局で前記移動端末からのハンドオーバー要請を受信する手段と、を含んでおり、
前記少なくとも一つのサービスを提供する手段は、少なくとも一つのターゲット基地局に、少なくとも一つのサービスと関連したＱｏＳパラメータを含むハンドオーバー通知を提供し、
前記ハンドオーバー要請を受信する手段は、前記少なくとも一つのターゲット基地局から、少なくとも一つのサービスと関連したＱｏＳパラメータに対する応答で決定されたサービスレベル予測情報を含むハンドオーバー通知応答を受信し、
前記少なくとも一つのサービスを提供する手段は、前記サービスレベル予測情報を含むハンドオーバー応答を前記移動端末に提供することを特徴とするＱｏＳ情報を提供するネットワーク。
【請求項２７】
前記ＱｏＳパラメータは、待機情報、保障トラフィックレート、必要なトラフィックレート及び維持可能トラフィックレートのうち少なくとも一つを含むことを特徴とする請求項２６に記載のＱｏＳ情報を提供するネットワーク。
【請求項２８】
前記サービスレベル予測情報は、前記移動端末に（１）サービスフロー提供不可、（２）全てのサービスフロー提供可能、（３）一部のサービスフロー提供可能及び（４）サービスレベル予測提供不可のうち少なくとも一つを含むことを特徴とする請求項２６に記載のＱｏＳ情報を提供するネットワーク。
【請求項２９】
前記ハンドオーバー応答は、前記移動端末がハンドオーバーを行う推薦ターゲット基地局をさらに含むことを特徴とする請求項２６に記載のＱｏＳ情報を提供するネットワーク。
【請求項３０】
前記移動端末は、少なくとも一つのハンドオーバーを行うターゲット基地局を決定することを特徴とする請求項２６に記載のＱｏＳ情報を提供するネットワーク。
【請求項３１】
前記移動端末から少なくとも一つのサービスのためのサービス要請を受信する手段と、
前記要請された少なくとも一つのサービスのために使用可能な無線資源の存在を確認し、無線資源が利用可能である場合、前記少なくとも一つの要請されたサービスを有する移動端末に無線資源を割り当てる手段と、
前記移動端末にサービス承認メッセージを伝送する手段と、をさらに含むことを特徴とする請求項２６に記載のＱｏＳ情報を提供するネットワーク。
【請求項３２】
前記サービス承認メッセージは、少なくとも一つの要請されたサービスのためのＱｏＳパラメータ値、及び少なくとも一つの要請されたサービスを活性化させる可能性に対する指示のうち少なくとも一つを含むことを特徴とする請求項３１に記載のＱｏＳ情報を提供するネットワーク。
【請求項３３】
前記サービング基地局は、少なくとも一つの許容されたサービスフローのためのＱｏＳパラメータ値が周期的に提供される前記少なくとも一つのターゲット基地局に、少なくとも一つの許容されたサービスフローに関する情報を伝送することを特徴とする請求項２６に記載のＱｏＳ情報を提供するネットワーク。
【請求項３４】
前記少なくとも一つのターゲット基地局にハンドオーバー承認を提供する手段と、
前記移動端末からのハンドオーバー指示を前記サービング基地局で受信する手段と、
前記サービング基地局と前記移動端末との間の通信を中断する手段と、をさらに含むことを特徴とする請求項２６に記載のＱｏＳ情報を提供するネットワーク。
【発明の詳細な説明】
【技術分野】
【０００１】
本発明は、ハンドオーバーの間にサービス情報を伝達するための広帯域移動無線接続システムに関するもので、一層詳しくは、ハンドオーバーの遂行時、許容されたサービスフローのためにサービス品質（Ｑｕａｌｉｔｙ  ｏｆ  Ｓｅｒｖｉｃｅ：以下、ＱｏＳという）情報をターゲット基地局に伝送する広帯域移動無線接続システムに関するものである。
【背景技術】
【０００２】
一般に、ハンドオーバー動作は、移動端末（ｍｏｂｉｌｅ  ｓｕｂｓｃｒｉｂｅｒ  ｓｔａｔｉｏｎ：ＭＳＳ）または基地局（ｂａｓｅ  ｓｔａｔｉｏｎ：ＢＳ）の要請にしたがって広帯域無線接続システムで行われる。現在サービスを提供するサービング基地局から多数のターゲット基地局のうち一つに前記ハンドオーバー動作を行うとき、前記移動端末は、現在移動端末に許容されたサービスフローのために、前記各ターゲット基地局にＱｏＳ情報を提供しなければならない。
【０００３】
前記ターゲット基地局に提供されたＱｏＳ情報は、前記現在移動端末に許容されたサービスフローのために必要な帯域幅及び必要なサービス等級名などの情報を含む。しかしながら、前記ターゲット基地局は、前記ＱｏＳ情報のみでは、詳細なサービスのＱｏＳを十分に保障できない。すなわち、前記移動端末に許容されたサービスが多数個ある場合、前記許容された多数のサービスのうち何れが保障されるかを指称する情報は提供されない。
【０００４】
例えば、移動端末が、現在のサービング基地局から実時間動映像ダウンロードサービスとインターネットプロトコル上の音声（Ｖｏｉｃｅ  Ｏｖｅｒ  Ｉｎｔｅｒｎｅｔ  Ｐｒｏｔｏｃａｌ：ＶｏｌＰ）などの固定速度サービスを一緒に受信すると仮定しよう。前記移動端末が前記各サービスを受信する間、ハンドオーバーが必要な状況になると、前記各サービスのうち一つのＱｏＳ保障のための必要な帯域幅及びサービス等級名に対する情報が各ターゲット基地局に伝送される。しかしながら、許容された各サービスのＱｏＳを維持するための詳細なハンドオーバー品質情報は、前記各ターゲット基地局に伝送されない。したがって、各サービスのうち何れのサービスのＱｏＳを保障するかを決定することは容易でない。さらに、前記ターゲット基地局が、各サービスに対する推定ＱｏＳレベルを予測することも難しい。
【発明の開示】
【発明が解決しようとする課題】
【０００５】
本発明は上記の問題点を解決するためのもので、その目的は、ハンドオーバー動作時、許容されたサービスフローのためのＱｏＳ情報をターゲット基地局に伝送することにある。
【０００６】
本発明の他の長所、目的及び特徴は、部分的に後述する詳細な説明に開示することにし、部分的には実験の際に技術分野の当業者に明白になるか、本発明の実施から自明になるだろう。本発明の目的と他の長所は、添付図面の他、後述される説明と請求の範囲に詳細に開示された構造によって具現され獲得可能になろう。
【課題を解決するための手段】
【０００７】
上記目的を達成するために、本発明に係るＱｏＳ情報受信方法は、無線通信システムでハンドオーバー動作と関連した移動端末のＱｏＳ情報を受信する段階と、前記ハンドオーバー動作を行うために少なくとも一つのターゲット基地局をスキャニングする段階と、前記サービング基地局にハンドオーバーを要請する段階と、前記サービング基地局からサービスレベル予測情報を受信する段階と、を含んでおり、前記サービスレベル予測情報は、前記サービング基地局から受信された少なくとも一つのサービスと関連したＱｏＳパラメータに対する応答として、少なくとも一つのターゲット基地局によって決定されることを特徴とする。
【０００８】
前記ＱｏＳパラメータは、遅延情報、保障トラフィックレート、必要なトラフィックレート及び維持可能なトラフィックレートのうち少なくとも一つを含むことが好ましい。前記サービスレベル予測情報は、前記移動端末に（１）サービスフロー提供不可、（２）全てのサービスフロー提供可能、（３）一部のサービスフロー提供可能及び（４）サービスレベル予測提供不可のうち少なくとも一つを含む。さらに、前記ハンドオーバー応答は、前記移動端末がハンドオーバーを行う推薦ターゲット基地局をさらに含む。前記移動端末は、少なくとも一つのハンドオーバーを行うターゲット基地局を決定することがさらに好ましい。
【０００９】
本発明の一面として、前記方法は、前記サービング基地局から少なくとも一つのサービスを要請する段階と、前記サービング基地局からサービス承認メッセージを受信する段階と、をさらに含む。前記サービス承認メッセージは、少なくとも一つの要請されたサービスのためのＱｏＳパラメータ値、及び少なくとも一つの要請されたサービスを活性化させる可能性に対する指示のうち少なくとも一つを含むことがさらに好ましい。
【００１０】
本発明の一様相として、無線通信システムでハンドオーバー動作と関連したＱｏＳ情報を提供する方法は、サービング基地局から移動端末に少なくとも一つのサービスを提供する段階と、前記サービング基地局で前記移動端末からのハンドオーバー要請を受信する段階と、少なくとも一つのターゲット基地局に少なくとも一つのサービスと関連したＱｏＳパラメータを含むハンドオーバー通知を提供する段階と、前記少なくとも一つのターゲット基地局から、少なくとも一つのサービスと関連したＱｏＳパラメータに対する応答で決定されたサービスレベル予測情報を含むハンドオーバー通知応答を受信する段階と、前記サービスレベル予測情報を含むハンドオーバー応答を前記移動端末に提供する段階と、を含む。
【００１１】
前記ＱｏＳパラメータは、待機情報、保障トラフィックレート、必要なトラフィックレート及び維持可能トラフィックレートのうち少なくとも一つを含むことが好ましい。前記サービスレベル予測情報は、前記移動端末に（１）サービスフロー提供不可、（２）全てのサービスフロー提供可能、（３）一部のサービスフロー提供可能及び（４）サービスレベル予測提供不可のうち少なくとも一つを含む。さらに、前記ハンドオーバー応答は、前記移動端末がハンドオーバーを行う推薦ターゲット基地局をさらに含む。前記移動端末は、少なくとも一つのハンドオーバーを行うターゲット基地局を決定することがさらに好ましい。
【００１２】
本発明の一様相として、前記方法は、前記移動端末から少なくとも一つのサービスのためのサービス要請を受信する段階と、前記要請された少なくとも一つのサービスのために使用可能な無線資源の存在を確認する段階と、前記無線資源が利用可能である場合、前記少なくとも一つの要請されたサービスを有する移動端末に無線資源を割り当てる段階と、前記移動端末にサービス承認メッセージを伝送する段階と、を含む。
【００１３】
前記サービス承認メッセージは、少なくとも一つの要請されたサービスのためのＱｏＳパラメータ値、及び少なくとも一つの要請されたサービスを活性化させる可能性に対する指示のうち少なくとも一つを含むことがさらに好ましい。さらに、前記サービング基地局は、少なくとも一つの許容されたサービスフローのためのＱｏＳパラメータ値が周期的に提供される前記少なくとも一つのターゲット基地局に、少なくとも一つの許容されたサービスフローに関する情報を伝送する。
【００１４】
本発明の他の面において、前記方法は、少なくとも一つのターゲット基地局にハンドオーバー承認を提供する段階と、前記移動端末からのハンドオーバー指示を前記サービング基地局で受信する段階と、前記サービング基地局と前記移動端末との間の通信を中断する段階と、をさらに含む。
【００１５】
他の実施形態として、本発明は、無線通信システムのハンドオーバー動作と関連したＱｏＳ情報を受信する移動端末において、サービング基地局から少なくとも一つのサービスを受信する手段と、前記ハンドオーバー動作を行うための少なくとも一つのターゲット基地局をスキャニングする手段と、前記サービング基地局にハンドオーバーを要請する手段と、を含んでおり、前記少なくとも一つのサービスを受信する手段は、サービング基地局からサービスレベル予測情報を含むハンドオーバー応答を受信し、前記サービスレベル予測情報は、前記サービング基地局から受信された少なくとも一つのサービスと関連したＱｏＳパラメータに対する応答として、少なくとも一つのターゲット基地局によって決定されることを特徴とする。
【００１６】
前記ＱｏＳパラメータは、遅延情報、保障トラフィックレート、必要なトラフィックレート及び維持可能なトラフィックレートのうち少なくとも一つを含むことが好ましい。前記サービスレベル予測情報は、前記移動端末に（１）サービスフロー提供不可、（２）全てのサービスフロー提供可能、（３）一部のサービスフロー提供可能及び（４）サービスレベル予測提供不可のうち少なくとも一つを含む。さらに、前記ハンドオーバー応答は、前記移動端末がハンドオーバーを行う推薦ターゲット基地局をさらに含む。前記移動端末は、少なくとも一つのハンドオーバーを行うターゲット基地局を決定することがさらに好ましい。
【００１７】
本発明の一面において、本発明は、サービング基地局から移動端末に少なくとも一つのサービスを要請するハンドオーバーを要請する手段と、前記サービング基地局からサービス承認メッセージを受信する手段と、をさらに含む。前記サービス承認メッセージは、少なくとも一つの要請されたサービスのためのＱｏＳパラメータ値、及び少なくとも一つの要請されたサービスを活性化させる可能性に対する指示のうち少なくとも一つを含むことがさらに好ましい。
【００１８】
本発明の一様相として、無線通信システムでハンドオーバー動作と関連したＱｏＳ情報を提供するネットワークは、サービング基地局から移動端末に少なくとも一つのサービスを提供する手段と、前記サービング基地局で前記移動端末からのハンドオーバー要請を受信する手段と、を含んでおり、前記少なくとも一つのサービスを提供する手段は、少なくとも一つのターゲット基地局に少なくとも一つのサービスと関連したＱｏＳパラメータを含むハンドオーバー通知を提供し、前記ハンドオーバー要請を受信する手段は、前記少なくとも一つのターゲット基地局から、少なくとも一つのサービスと関連したＱｏＳパラメータに対する応答で決定されたサービスレベル予測情報を含むハンドオーバー通知応答を受信し、前記少なくとも一つのサービスを提供する手段は、前記サービスレベル予測情報を含むハンドオーバー応答を前記移動端末に提供することを特徴とする。
【００１９】
前記ＱｏＳパラメータは、待機情報、保障トラフィックレート、必要なトラフィックレート及び維持可能トラフィックレートのうち少なくとも一つを含むことがさらに好ましい。前記サービスレベル予測情報は、前記移動端末に（１）サービスフロー提供不可、（２）全てのサービスフロー提供可能、（３）一部のサービスフロー提供可能及び（４）サービスレベル予測提供不可のうち少なくとも一つを含む。前記ハンドオーバー応答は、前記移動端末がハンドオーバーを行う推薦ターゲット基地局をさらに含む。前記移動端末は、少なくとも一つのハンドオーバーを行うターゲット基地局を決定することがさらに好ましい。
【００２０】
本発明の一面として、前記ネットワークは、前記移動端末から少なくとも一つのサービスのためのサービス要請を受信する手段と、要請された少なくとも一つのサービスのために使用可能な無線資源の存在を確認し、無線資源が利用可能である場合、前記少なくとも一つの要請されたサービスを有する移動端末に無線資源を割り当てる手段と、前記移動端末にサービス承認メッセージを伝送する手段と、を含む。
【００２１】
前記サービス承認メッセージは、少なくとも一つの要請されたサービスのためのＱｏＳパラメータ値、及び少なくとも一つの要請されたサービスを活性化させる可能性に対する指示のうち少なくとも一つを含むことがさらに好ましい。さらに、前記サービング基地局は、少なくとも一つの許容されたサービスフローのためのＱｏＳパラメータ値が周期的に提供される前記ターゲット基地局に、少なくとも一つの許容されたサービスフローに関する情報を伝送する。
【００２２】
本発明の他の面において、前記ネットワークは、少なくとも一つのターゲット基地局にハンドオーバー承認を提供する手段と、前記移動端末からのハンドオーバー指示を前記サービング基地局で受信する手段と、前記サービング基地局と前記移動端末との間の通信を中断する手段と、をさらに含む。
【００２３】
本発明によると、ハンドオーバー動作時、許容されたサービスフローのためのＱｏＳ情報をターゲット基地局に伝送できるという効果がある。
【発明を実施するための最良の形態】
【００２４】
以下、本発明の好適な実施の形態に対し、添付の図面に基づいて説明する。
【００２５】
本発明は、広帯域無線接近システムでハンドオーバーを遂行するとき、許容されたサービスフローのためのＱｏＳ情報をターゲット基地局に伝達することに関するものである。
【００２６】
本発明の一実施形態において、図１に示すように、移動端末１１は、特定のアプリケーションサービスを受信するために、サービング基地局１２にサービス要請メッセージを伝達する（Ｓ１０１）。前記サービス要請メッセージは、前記サービスを受信するために活性化されるサービスフローの情報または要求されるＱｏＳパラメータの情報を含む。
【００２７】
前記サービス要請メッセージを受信したサービング基地局１２は、前記移動端末１１が要請したサービスのために使用可能な無線資源が存在するかどうかを検査する（Ｓ１０２）。前記検査結果、無線資源が利用可能である場合、前記サービング基地局１２は、前記サービスを要請した移動端末１１に無線資源を割り当てる（Ｓ１０３）。そして、前記サービング基地局１２が前記移動端末１１の要請したサービスフローを遂行可能であるかを知らせる情報は、サービス承認メッセージを通して前記移動端末１１に伝達される（Ｓ１０４）。前記サービス承認メッセージは、前記移動端末１１が要請したサービスフローのためのＱｏＳパラメータ及び前記要請されたサービスフローを活性化させる可能性に対する指示情報を含む。
【００２８】
前記移動端末１１０にアプリケーションを提供すると（Ｓ１０５）、前記サービング基地局１２は、許容されたサービスフローに対する情報をターゲット基地局１３に伝送する（Ｓ１０６）。このとき、前記サービスフローのためのＱｏＳパラメータ値は、前記ターゲット基地局１３に周期的に提供される。
【００２９】
上述した方法で前記サービスフローが提供される間、前記移動端末１１がハンドオーバー要請メッセージ（例えば、ＭＯＢ＿ＭＳＳＨＯ＿ＲＥＱ）を伝送する場合（Ｓ１０７）、前記サービング基地局１２は、ハンドオーバー要請事前知らせメッセージ（ＨＯ−ｐｒｅ−ｎｏｔｉｆｉｃａｔｉｏｎ）を前記ターゲット基地局１３に伝送する（Ｓ１０８）。前記ハンドオーバー要請事前知らせメッセージ（ＨＯ−ｐｒｅ−ｎｏｔｉｆｉｃａｔｉｏｎ）は、前記提供される各サービスフローを維持するために要求される情報を含む。すなわち、前記提供される各サービスフローを維持するために要求される情報は、サービスフロー識別子（ＳＦＩＤ）、サービス等級名、それぞれのサービスフローに相応するＱｏＳパラメータ及び前記ＱｏＳパラメータにそれぞれ相応する特定値を含む。例えば、前記ＱｏＳパラメータは、最大待機時間、最小保障トラフィックレート、必要な最小トラフィックレート、最大維持可能トラフィックレートなどである。
【００３０】
前記ハンドオーバー要請事前知らせメッセージ（ＨＯ−ｐｒｅ−ｎｏｔｉｆｉｃａｔｉｏｎ）を受信した前記各ターゲット基地局１３は、新しい移動端末１１を許容可能であるかどうかを決定する。その後、前記決定は、ハンドオーバー要請事前知らせ応答メッセージ（ＨＯ−ｐｒｅ−ｎｏｔｉｆｉｃａｔｉｏｎ−ｒｅｓｐｏｎｓｅ）を通して前記サービング基地局１２に伝送される（Ｓ１０９）。前記ハンドオーバー要請事前知らせ応答メッセージ（ＨＯ−ｐｒｅ−ｎｏｔｉｆｉｃａｔｉｏｎ−ｒｅｓｐｏｎｓｅ）は、前記ターゲット基地局１３から前記現在の移動端末１１に提供できる前記許容されたサービスフローの推定サービスレベルを知らせる情報を含む。
【００３１】
その後、前記ターゲット基地局１３から前記ハンドオーバー要請事前知らせ応答メッセージ（ＨＯ−ｐｒｅ−ｎｏｔｉｆｉｃａｔｉｏｎ−ｒｅｓｐｏｎｓｅ）を受信した前記サービング基地局１２は、前記ターゲット基地局１３から受けた前記サービスレベルに対する情報を前記移動端末１１にそれぞれ伝送する（Ｓ１１０）。
【００３２】
本発明の他の実施形態においては、図２に示すように、移動端末２１がハンドオーバー動作を行うためのターゲット基地局を選択できるように、多数のターゲット基地局が存在する。前記移動端末２１がアプリケーションサービスを受けるとき、図１のＳ１０１〜Ｓ１０５の過程を通して説明したように、例えば、前記移動端末２１は、隣接した各基地局２２，２３，２４をスキャニングする（Ｓ２０１）。前記移動端末２１がハンドオーバーを決定した場合、前記移動端末２１は、ハンドオーバー要請メッセージ（ＭＯＢ＿ＭＳＳＨＯ＿ＲＥＱ）をサービング基地局２２に伝送する（Ｓ２０２）。
【００３３】
前記サービング基地局２２は、前記ハンドオーバーを要請する移動端末２１が存在することをターゲット基地局２３，２４に知らせるために、ハンドオーバー要請事前知らせメッセージ（ＨＯ−ｐｒｅ−ｎｏｔｉｆｉｃａｔｉｏｎ）を伝送する（Ｓ２０３、Ｓ２０４）。
【００３４】
例えば、表１及び表２は、ハンドオーバー要請事前知らせメッセージ（ＨＯ−ｐｒｅ−ｎｏｔｉｆｉｃａｔｉｏｎ）のための構成を示す。
［表１］
【００３５】
【表１−１】
2007527177.tif 000003
【００３６】
【表１−２】
2007527177.tif 000004
［表２］
【００３７】
【表２−１】
2007527177.tif 000005
【００３８】
【表２−２】
2007527177.tif 000006
本発明において、許容された各サービスフローに相応するＱｏＳ及び各パラメーターに相応する値と関連した各パラメーターは、前記ハンドオーバー要請事前知らせメッセージ（ＨＯ−ｐｒｅ−ｎｏｔｉｆｉｃａｔｉｏｎ）を用いて、ハンドオーバー時に前記サービング基地局２２から前記ターゲット基地局２３，２４に伝送される。すなわち、前記ハンドオーバー要請事前知らせメッセージ（ＨＯ−ｐｒｅ−ｎｏｔｉｆｉｃａｔｉｏｎ）は、前記ＱｏＳパラメータ及び前記パラメーターに相応する値を含む。
【００３９】
前記ハンドオーバー要請事前知らせメッセージ（ＨＯ−ｐｒｅ−ｎｏｔｉｆｉｃａｔｉｏｎ）を受信した前記ターゲット基地局２３，２４は、前記サービング基地局２２にハンドオーバー要請事前知らせ応答メッセージ（ＨＯ−ｐｒｅ−ｎｏｔｉｆｉｃａｔｉｏｎ−ｒｅｓｐｏｎｓｅ）を伝送する（Ｓ２０５、Ｓ２０６）。前記ハンドオーバー要請事前知らせ応答メッセージ（ＨＯ−ｐｒｅ−ｎｏｔｉｆｉｃａｔｉｏｎ−ｒｅｓｐｏｎｓｅ）は、ＱｏＳ関連情報を含むことが好ましい。
【００４０】
また、前記ハンドオーバー要請事前知らせ応答メッセージ（ＨＯ−ｐｒｅ−ｎｏｔｉｆｉｃａｔｉｏｎ−ｒｅｓｐｏｎｓｅ）を通して伝送される前記ＱｏＳ関連情報は、サービス推定の存在に対する情報、及び各ターゲット基地局２３，２４から前記現在の移動端末２１に提供できる許容されたサービスフローの推定サービスレベルを知らせる情報を含むことが好ましい。
【００４１】
前記ＱｏＳ関連情報は、前記サービング基地局２２がハンドオーバー要請メッセージを通して前記移動端末２１に伝送するサービスレベル予測情報と同一であり、”全てのサービスフロー提供可能”、”一部のサービスフロー提供可能”、”サービスフロー提供不可”などを知らせる情報に区分されることが好ましい。
【００４２】
前記ハンドオーバー要請事前知らせ応答メッセージ（ＨＯ−ｐｒｅ−ｎｏｔｉｆｉｃａｔｉｏｎ−ｒｅｓｐｏｎｓｅ）のための構成の一例は、表３に示す通りである。
［表３］
【００４３】
【表３−１】
2007527177.tif 000007
【００４４】
【表３−２】
2007527177.tif 000008
前記サービング基地局２２は、ハンドオーバー遂行のために前記各ターゲット基地局２３，２４のうち一つの基地局を適宜選択する。前記サービング基地局２２は、前記選択されたターゲット基地局にハンドオーバー承認メッセージ（ＨＯ−ｃｏｎｆｉｒｍ）を伝送する。この場合、前記選択された基地局は、前記ターゲット基地局２４である（Ｓ２０７）。前記サービング基地局２２は、ハンドオーバー応答メッセージ（ＭＯＢ＿ＨＯ＿ＲＳＰ）を通して前記移動端末２１に前記選択されたターゲット基地局２４を推薦する（Ｓ２０８）。前記ハンドオーバー応答メッセージ（ＭＯＢ＿ＨＯ＿ＲＳＰ）のための構成の一例は、表４に示す通りである。
［表４］
【００４５】
【表４−１】
2007527177.tif 000009
【００４６】
【表４−２】
2007527177.tif 000010
前記移動端末２１は、前記サービング基地局２２から受信した推薦にしたがって、前記推薦されたターゲット基地局２４に前記ハンドオーバーを行うことを決定する。一方、前記移動端末２１は、前記サービング基地局２２の推薦にしたがわず、他のターゲット基地局を選択してハンドオーバーを行うか、ハンドオーバーを行わないと決定することもある。前記推薦されたターゲット基地局２４にハンドオーバーが行われる場合、前記移動端末２１は、前記サービング基地局２２にハンドオーバー指示メッセージ（ＭＯＢ＿ＨＯ＿Ｉｎｄｉｃａｔｉｏｎ）を伝送する（Ｓ２０９）。前記サービング基地局２２は、前記ターゲット基地局２４にハンドオーバーを行う移動端末２１を認識し、前記移動端末２１に対する連結を解除する（Ｓ２１０）。前記移動端末２１は、新しいサービング基地局を前記ターゲット基地局２４に設けるために、前記ターゲット基地局２４との連結過程を行う（Ｓ２１１）。
【００４７】
上述した本発明の各実施形態では、前記移動端末２１の要請にしたがって行われるハンドオーバーを説明した。しかし、許容された各サービスフローのためのＱｏＳ情報伝送は、基地局の要請によって行われるハンドオーバーの場合にも適用されうる。したがって、本発明は、ハンドオーバーにおいて、前記許容された各サービスフローのためのＱｏＳをサポートできる。
【００４８】
本発明は、移動通信に対して説明されたが、ＰＤＡｓ及び無線通信装備を備えたノートブックなどの移動装置を使用する任意の無線通信システムにも用いられる。さらに、本発明を説明するための特定用語の使用は、ＵＭＴＳなどの特定の無線通信システムタイプに本発明の範囲を制限してはならない。また、本発明は、他の無線インターフェース及びＴＤＭＡ、ＣＤＭＡ、ＦＤＭＡ、ＷＣＤＭＡなどの物理階層を使用する他の無線通信システムにも適用できる。
【００４９】
更なる好適な実施形態は、方法、装置、または、標準プログラミング及び／またはソフトウェア、ファームウエア、ハードウェアまたは任意の結合を生産するための工学的技術を利用する製造方法装置として行われる。前記製造方法の用語は、ハードウェアロジック（例えば、集積回路チップ、フィールドプログラマブルゲートアレイ（Ｆｉｅｌｄ  Ｐｒｏｇｒａｍｍａｂｌｅ  Ｇａｔｅ  Ａｒｒａｙ：ＦＰＧＡ）、特定用途向け集積回路（Ａｐｐｌｉｃａｔｉｏｎ  Ｓｐｅｃｉｆｉｃ  Ｉｎｔｅｇｒａｔｅｄ  ｃｉｒｃｕｉｔ：ＡＳＩＣなど）で行われるコードまたはロジック、または、コンピュータ可読の媒体（例えば、ハードディスクドライブ、フロッピー（登録商標）ディスクテープなどの磁気記憶媒体）、光学記憶装置（例えば、ＣＤ−ＲＯＭｓ、光ディスクなど）、揮発性／不揮発性記憶装置（例えば、ＥＥＰＲＯＭｓ、ＲＯＭｓ、ＰＲＯＭｓ、ＲＡＭｓ、ＤＲＡＭｓ、ＳＲＡＭｓ、ファームウェア、プログラマブルロジックなど）を意味する。
【００５０】
前記コンピュータ可読の媒体に含まれたコードは、プロセッサーによって接近及び遂行される。更なる好適な実施形態で遂行される前記コードは、伝送メディアを通して、または、ネットワークを通じてファイルサーバーから接近することもできる。前記コードが遂行される製造方法は、ネットワーク伝送ライン、無線伝送メディア、そして、空間、無線波、赤外線信号などを通した信号伝播などを含む。もちろん、本発明の技術分野の当業者であれば、本発明の範囲から逸脱しない限度で本構成から導出できる多様な適用及び従来の媒体を改善した任意の情報を含む製造方法を認識できるだろう。
【００５１】
本発明の精神及び必須的な特徴から逸脱しない範囲で、本発明が他の特定の形態に具体化されることは、当業者にとって自明なことである。本発明の範囲は、添付の特許請求の範囲及び等価的な範囲内で提供される全ての変更を含んでいる。
【図面の簡単な説明】
【００５２】
【図１】本発明の一実施形態に係るＱｏＳ情報を伝送する手順を示すフローチャートである。
【図２】本発明の一実施形態に係るハンドオーバー時にＱｏＳ情報を伝送する手順を示すフローチャートである。
【図１】
2007527177.tif 000011
【図２】
2007527177.tif 000012
【国際調査報告】
2007527177.tif 000013
2007527177.tif 000014
2007527177.tif 000015